(57)【要約】【課題】  動物を傷つけないで捕獲できるようにした動物捕獲装置を提供する。【解決手段】  動物捕獲装置Ａは、本質的に鉛直方向に開閉する開口部１００を備えた袋状であり、柔軟性または変形性を有する捕獲網１と、開口部１００を開いた状態で捕獲網１を保持できる保持部材２と、を備えている。保持部材２は、捕獲網１内に設けてある餌受部１８と連動して開口部１００側を閉じる閉鎖手段を有している。捕獲網１は、網を絡み合わせて動物を網の内部に閉じ込めることができる引掛手段１１，１３２と、開口部１００側に設けられた重り体１２，１４，１４を有している。【選択図】  図１   
2005278584.tif 000002
【特許請求の範囲】
【請求項１】
開口部(100)を備えた袋状であり、柔軟性または変形性を有する捕獲網(1)と、
開口部(100)を開いた状態で捕獲網(1)を保持できる保持部材(2)と、
を備えており、
保持部材(2)は、捕獲網(1)内に設けてある餌受部(18)と連動して開口部(100)側を閉じる閉鎖手段を有し、
捕獲網(1)は、網を絡み合わせて動物を網の内部に閉じ込めることができる引掛手段(11)(132)を有していることを特徴とする、
動物捕獲装置。
【請求項２】
本質的に鉛直方向に開閉する開口部(100)を備えた袋状であり、柔軟性または変形性を有する捕獲網(1)と、
開口部(100)を開いた状態で捕獲網(1)を保持できる保持部材(2)と、
を備えており、
保持部材(2)は、捕獲網(1)内に設けてある餌受部(18)と連動して開口部(100)側を閉じる閉鎖手段を有し、
捕獲網(1)は、網を絡み合わせて動物を網の内部に閉じ込めることができる引掛手段(11)(132)と、開口部(100)側に設けられた重り体(12)(14,14)を有していることを特徴とする、
動物捕獲装置。
【請求項３】
捕獲網(1)と保持部材(2)は分離可能であり、保持部材(2)は折り畳みまたは／及び分解できるように構成されていることを特徴とする、
請求項１または２記載の動物捕獲装置。
【発明の詳細な説明】
【技術分野】
【０００１】
本発明は、動物捕獲装置に関する。
更に詳しくは、動物を傷つけないで捕獲できるようにした動物捕獲装置に関する。
【背景技術】
【０００２】
捨てられた犬や猫などを保護するために捕獲する際は、動物愛護の観点からも、動物を傷つけないで捕獲することが望ましい。また、希少動物を保護する際も同様である。
【０００３】
従来、動物を捕獲する際の捕獲装置としては、線材を溶接して得られる溶接金網を用いて箱形に作られた捕獲器が一般的である。これは、捕獲器内におとり用の餌をぶら下げておき、動物が捕獲器内に入って餌を引っ張ると、落下式の扉が入口を塞いで動物が外へ逃げられないようにするといった構造である。
【発明の開示】
【発明が解決しようとする課題】
【０００４】
しかしながら、従来の捕獲器は溶接金網を用いて頑丈に作られているため、捕獲した動物が暴れて側壁等に頭をぶつけ、けがを負うことが少なくなかった。
【０００５】
また近年、宅地開発などによって生活圏を奪われたタヌキ等の野生動物が、残飯を求めて住宅地に現れることがある。このため、住宅地で捕獲器を使用することもあるが、子供がいたずらして落下式の扉で手を挟み、けがをするといったことが考えられるため、人に対してもより安全な捕獲装置に関する要望が強かった。  
【０００６】
（本発明の目的）
そこで本発明の目的は、動物を傷つけないで捕獲できるようにした動物捕獲装置を提供することにある。
【０００７】
本発明の他の目的は、誤操作等によってもけがをしないような、人に対しても安全性の高い動物捕獲装置を提供することにある。
【０００８】
本発明の他の目的は、コンパクトな状態で持ち運びや保管をすることができるようにした動物捕獲装置を提供することにある。
【課題を解決するための手段】
【０００９】
上記目的を達成するために本発明が講じた手段は次のとおりである。
【００１０】
第１の発明にあっては、
開口部を備えた袋状であり、柔軟性または変形性を有する捕獲網と、
開口部を開いた状態で捕獲網を保持できる保持部材と、
を備えており、
保持部材は、捕獲網内に設けてある餌受部と連動して開口部側を閉じる閉鎖手段を有し、
捕獲網は、網を絡み合わせて動物を網の内部に閉じ込めることができる引掛手段を有していることを特徴とする、
動物捕獲装置である。
【００１１】
第２の発明にあっては、
本質的に鉛直方向に開閉する開口部を備えた袋状であり、柔軟性または変形性を有する捕獲網と、
開口部を開いた状態で捕獲網を保持できる保持部材と、
を備えており、
保持部材は、捕獲網内に設けてある餌受部と連動して開口部側を閉じる閉鎖手段を有し、
捕獲網は、網を絡み合わせて動物を網の内部に閉じ込めることができる引掛手段と、開口部側に設けられた重り体を有していることを特徴とする、
動物捕獲装置である。
【００１２】
第３の発明にあっては、
捕獲網と保持部材は分離可能であり、保持部材は折り畳みまたは／及び分解できるように構成されていることを特徴とする、
第１または第２の発明に係る動物捕獲装置である。
【００１３】
捕獲対象である動物については、その種類を特に限定するものではない。例えば犬や猫といった愛玩動物や、タヌキやイノシシ等の獣類、その他カラスなどの鳥類も挙げることができる。
【００１４】
捕獲網は、柔軟性または変形性を有するものであれば、特にその素材を限定するものではない。例えば、ナイロン、ポリエチレン等の合成繊維や針金あるいはそれらの組み合わせ等を挙げることができる。
【００１５】
本明細書及び特許請求の範囲にいう「折り畳みまたは／及び分解できる」には、折り畳みまたは分解のいずれか一方を含む場合もあるし、あるいは折り畳み及び分解の両方を含む場合もある。
【００１６】
（作  用）
本発明は次のように作用する。
（ａ）餌受部に取り付けた餌の臭いにつられた動物は、開口部から袋状の捕獲網の奥部へ入っていく。そして、動物が餌を咬んだり、ひっぱたりすると、餌受部に連動して閉鎖手段が捕獲網の開口部側を閉じる。
【００１７】
そうして、捕獲網に設けてある引掛手段が、網を絡み合わせて動物を網の内部に閉じ込める。更に、動物が暴れた場合でも、余計に引掛手段が捕獲網に複雑に絡み合うため、逆に動物が動きが取れなくなる。
【００１８】
（ｂ）捕獲網の開口部が本質的に鉛直方向に開閉するように構成され、開口部側に重り体体が設けられているものは、重り体の自重によって開口部はより短い時間で閉じられる。これにより、捕獲網の内部に入り込んだ動物を逃がすことなく、捕獲することができる。
【発明の効果】
【００１９】
本発明は上記構成を備え、次の効果を有する。
（ａ）本発明によれば、柔軟性または変形性を有する捕獲網によって動物を捕獲できるので、動物が暴れた場合であっても、溶接金網のような頑丈な檻で取り囲んだ場合と相違して、動物を傷つけないで捕獲することができる。
【００２０】
（ｂ）本発明は、開口部を落下式の扉等で閉鎖するような重厚な構造ではなく、単に捕獲網の開口部を引掛手段で開かないように閉じる構造であるので、誤操作等により開口部が閉じても手を挟んでけがするような危険性はなく、人に対しても安全性が高い。
【００２１】
（ｃ）捕獲網と保持部材は分離可能であり、保持部材は折り畳みまたは／及び分解できるように構成されているものは、動物捕獲装置をコンパクトな状態で持ち運びや保管ができるので、便利である。 
【発明を実施するための最良の形態】
【００２２】
本発明を図面に示した実施例に基づき更に詳細に説明する。
【実施例】
【００２３】
図１は、本発明に係る動物捕獲装置の一実施例を示す斜視説明図、
図２(ａ)(ｂ)は、図１に示す動物捕獲装置の作動状態を説明するための側面視説明図である。図２(ａ)は捕獲網が落下している状態を示し、図２(ｂ)は捕獲網が落下した後の状態を示している。
【００２４】
なお、図２では、図面で中央からやや左寄りに位置する側方保持部材２２をエルボ２２１部分から断面して表している。また、図１及び図２では、おとり用の餌Ｂを想像線で表している。更に、捕獲網１の上下方向は図１を基に説明している。
【００２５】
図１及び図２(ａ)に示すように、動物捕獲装置Ａは、開口部１００側を備えた袋状であり、柔軟性または変形性を有する捕獲網１と、開口部１００側を開いた状態で捕獲網１を保持できる保持部材２を備えている。保持部材２は、平面視で十字状に交差して形成され、所要数（本実施例では三本）の支柱部２１２，２２２，２２２によって自立可能となっている。
【００２６】
図２(ａ)(ｂ)に示すように、保持部材２は、フック状の餌受部１８と連動して開口部１００側を閉じる閉鎖手段を有している。捕獲網１は、落下して開口部１００側を閉じた際（図２(ｂ)参照）に、網を絡み合わせて動物を網の内部に閉じ込めることができる引掛手段であるフック状の引掛部１１，１３２を多数有している。
【００２７】
以下、動物捕獲装置Ａの各構成部分について、順を追って詳しく説明する。
（捕獲網１）
図１及び図２(ａ)を参照する。
捕獲網１は、捕獲対象である動物が食いちぎる等して破くことができないように、十分な強度を有する素材で形成されている。捕獲網１を保持部材２に取り付けた状態では、開口部１００が鉛直方向に開閉する状態（横向きに開いた状態）となり、袋内の奥部がその逆方向に向くようになっている。
【００２８】
捕獲網１の開口部１００は、縁部が平面視で略Ｕ字状になるように大きく開口され、広い範囲（角度）で動物が中に入り込めるようになっている。開口部１００の周縁部は、太目の紐状体１０１で補強され、縁部分が垂れ下がって開口部１００が小さくなることを防いでいる。
【００２９】
図１及び図２(ａ)で開口部１００の上部中央部分には、開口部１００側をより短時間で閉じることができるように重り体１２（以下、説明の都合上、「中央重り体１２」いう）が取り付けてある。本実施例では、中央重り体１２は円柱状に形成されているが、特にその形状に限定されない。図２(ａ)に示すように、中央重り体１２は、保持部材２の支柱部２１２に設けてあるガイドレール２１４に案内されることにより、ほぼ真下に落下する。
【００３０】
図３は、図２(ａ)に示す中央重り体を含む部分を拡大して示した側面視説明図であり、中央重り体１２を案内するガイドレール２１４を縦断面して表している。中央重り体１２には、側面視逆Ｕ字状の取付部１２１にチェーン１２２の一端部が取り付けてあり、チェーン１２２の他端部にはガイドレール２１４内を走行するガイドローラ１２３が設けてある。ガイドローラ１２３とガイドレール２１４は、カーテンレールに一般に多く使用される構造と同じものを使用しているため、構造の詳しい説明は省略する。
【００３１】
取付部１２１には、紐状体１２４によって捕獲網１の上部中央部分が結び付けられ、常に捕獲網１が支柱部２１２側に引っ張られた状態で落下するようになっている。図３で中央重り体１２の上部には吊下部１２５が立設してある。吊下部１２５は、先端に環状の係合部１２６を備えており、捕獲網１に貫通させた状態で設けられている。この吊下部１２５を後述する保持部材２の貫通穴２１０に下方から通し、貫通穴２１０から突出した吊下部１２５の係合部１２６に閉鎖手段を構成する係止ピン２６を通して、中央重り体１２を取り外し可能に吊り下げている（保持している）。
【００３２】
図１に示すように、開口部１００の下部中央部分、即ち、中央重り体１２のほぼ真下（支柱部２１２の内側近傍）には、捕獲網１のズレを防止する重りであるズレ防止体１３が取り付けてある。本実施例では、ズレ防止体１３は円柱状に形成されているが、特にこの形状に限定しない。ズレ防止体１３は、捕獲網１の外側に取り付けてある。詳しくは、ズレ防止体１３は、左右両側の所要の位置に略Ｕ字状の取付部１３１を備え、その取付部１３１が紐（図示省略）によって捕獲網１に固着されている。
【００３３】
ズレ防止体１３の上部には、捕獲網１の内側に向けて突出するフック状の引掛部１３２が所要数（本実施例では二本）設けられている。上記した引掛部１１１と同様に、引掛部１３２によって捕獲網１を絡み合わせて、動物を網内に閉じ込めることができる。
【００３４】
ズレ防止体１３の接地面側には、ズレ防止体１３の軸心方向に対して交差する板状の接地部１３３（以下、接地板１３３という）が設けられている。この接地板１３３により、常に引掛部１３２が上方（捕獲網１の内側）に向くようにズレ防止体１３を保持できる。接地板１３３は、軸ピン１３４（図１では隠れて表れず、図２(ａ)参照）により、ズレ防止体１３の軸心方向へ回動させて重ね合わせることができる。これにより、捕獲網１を折り畳んだときに接地板１３３がズレ防止体１３の本体から外にはみ出ないように収容できる。
【００３５】
開口部１００の四隅部分には、上記したズレ防止体１３と同じか大体同じ形状のものが固着されている。即ち、捕獲網１の底部側に固着されているものは、上記したズレ防止体１３と同じもので、開口させた捕獲網１の位置がずれないようにするためのズレ防止体１３ａである。ズレ防止体１３ａの構造は、上記したズレ防止体１３と同じであるので、説明を省略する。
【００３６】
ズレ防止体１３ａは、ズレ防止体１３と同様に捕獲網１の外側から固着されているので、図２(ａ)に示すように、捕獲網１はズレ防止体１３，１３ａの上に位置する。よって、動物捕獲装置Ａを設置した際には、捕獲網１と接地面の間に隙間Ｓが形成され、捕獲網１は接地面からやや浮いた状態となっている。したがって、図２(ｂ)に示すように、捕獲網１が落下すると、上部側の引掛部１１が下部側の捕獲網１に引っ掛かりやすい。
【００３７】
一方、開口部１００の四隅部分のうち、捕獲網１の上部側に固着されているものは、上記したズレ防止体１３と形状は似ているが、その作用は上記した中央重り体１２とほぼ同じであり、開口部１００側をより短い時間で閉じるための重り体１４を構成する。なお、図１で捕獲網１の側方側に固着されているため、以下、重り体１４を「側方重り体１４」いう。
【００３８】
側方重り体１４は、捕獲網１の内側に固着されている。符号１４１は、側方重り体１４の所要の位置に設けてある略Ｕ字状の取付部を示している。取付部１４１は、紐（図示省略）を介して捕獲網１に固着されている。なお、本実施例では、側方重り体１４は引掛部１３２を有していないが、引掛部１３２を備えた構造としても良い。
【００３９】
側方重り体１４の上部（網体の外側に向けて）は、上記した中央重り体１２と同様に、先端に環状の係合部１４２を備えた吊下部１４３が立設してある。また、上記した中央重り体１２と同様、吊下部１４３は、捕獲網１を貫通して設けてある。更に、この吊下部１４３を後述する側方保持部材２２の貫通穴２２０に下方から通し、貫通穴２２０から突出した吊下部１４３の係合部１４２に、中央重り体１２側から延びた係止ピン１５を通して側方重り体１４を取り外し可能に保持する。
【００４０】
係止ピン１５は、図１に示すように、紐状体１６の一端部に取り付けられ、紐状体１６の他端部は中央重り体１２と捕獲網１を結びつける紐状体１２４に結んで固着されている。また、開口部１００の上部周縁部の中央部分には、開口部１００の縁部に沿ってガイド管１７が取り付けてある。紐状体１６は、そのガイド管１７に通してある。これにより、捕獲網１を設置した際に、開口部１００の上部の縁部が垂れ下がって開口部１００が狭くなることを防いでいる。
【００４１】
図１で捕獲網１の上部側には、上記したように、捕獲網１の内側に向けて突出するフック状の引掛部１１が所要数（本実施例では多数）設けられている。更に、捕獲網１の上部側の奥部には、おとり用の餌Ｂを引っ掛けるフック状の餌受部１８が設けてある。
【００４２】
餌受部１８の基端側は、チェーン１８１を介して後述する保持部材２の揺動体２３に接続される。チェーン１８１の基端部には、中央重り体１２と同じ構造のガイドローラ１８２が取り付けてある。ガイドローラ１８２は、揺動体２３に設けてあるガイドローラ受部２３１（本実施例では、上記したガイドレール２１４と同じ構造で、長さが短いものを使用）に着脱可能に取り付けられている。このような構成により、捕獲網１内に入り込んだ動物が餌Ｂを引っ張ってチェーン１８１が引かれると、ガイドローラ受部２３１からガイドローラ１８２がスライドして外れ、それに連動して中央重り体１２が落下する仕組みとなっている。
【００４３】
餌受部１８が取り付けられたチェーン１８１には、平板状の網保持体１９が固着されている。図示はしていないが、網保持体１９の所要箇所には穴が開けられ、傾かないように紐を通して捕獲網１に固着されている。網保持体１９がチェーン１８１によって上方に引っ張られることにより、捕獲網１の奥部が内側に凹んで網の内部が狭くなることを防止している。
【００４４】
（保持部材２）
保持部材２は、主にプラスチック製のパイプ（本実施例では、硬質ポリ塩化ビニル製のパイプ）によって構成され、軽量化が図られている。保持部材２は、中央重り体１２を着脱可能に保持する中央保持部材２１と、側方重り体１４，１４を着脱可能に保持する側方保持部材２２とを備えている。中央保持部材２１は側面視Ｌ形状に形成されており、基端側のエルボ２１１を介して上記した支柱部２１２が垂下している。側方保持部材２２は正面視略コ状に形成されており、両側のエルボ２２１を介して上記した支柱部２２２が垂下している。
【００４５】
中央保持部材２１の先部側は、側方保持部材２２のほぼ中間部で上方から重なり、ボルトと蝶ナット等からなる固着具２２３により固着されている。
【００４６】
図４は、保持部材を示す分解斜視説明図である。
図４に示すように、中央保持部材２１及び側方保持部材２２の各支柱部２１２，２２２，２２２は、エルボ２１１，２２１，２２１部分から取り外すことができる。また、保持部材２は固着具２２３による固定を解除することにより、固着具２２３を支点として回動させ、一本の棒状体のように重ね合わせることができる。このように、保持部材２をコンパクトに分解できるので、持ち運びや保管が便利である。
【００４７】
中央保持部材２１の先端側には、軸部２１３を支点として上下動する揺動体２３が設けてある。本実施例では、揺動体２３は硬質ポリ塩化ビニル製のやや細いパイプで形成されている。揺動体２３の下部側の先部寄りには、上記したように、ガイドローラ受部２３１が設けてある。ガイドローラ受部２３１には、先端に餌受部１８を有するチェーン１８１が取付られたガイドローラ１８２が着脱可能に取り付けられる。
【００４８】
揺動体２３の上部側の先部寄りには、付勢手段であるコイルバネである引張コイルバネ２４の一端部が固着具２４１によって固着されている。引張コイルバネ２４の他端部は、中央保持部材２１の上部側の先部寄りに固着されている。そして、図２(ａ)に示すように、引張コイルバネ２４の付勢力により、常態では揺動体２３は前へ上方傾斜しており、動物が餌Ｂを引っ張ると、引張コイルバネ２４に抗して揺動体２３は前へ下方傾斜するようになっている。
【００４９】
更に、揺動体２３の上部側の先部寄りには、紐状体２５の基端部が取り付けられている。紐状体２５の先端には、上記したように、中央重り体１２の吊下部１２５を係止する係止ピン２６が取り付けられている。このような構成により、動物が餌Ｂ引っ張って揺動体２３が前へ下方傾斜すると（図２(ａ)参照）、紐状体２５が矢印方向に引っ張られて、係止ピン２６が中央重り体１２の吊下部１２５から抜ける。また、揺動体２３が前へ下方傾斜すると共に、揺動体２３のガイドローラ受部２３１からガイドローラ１８２が外れ、餌受部１８は捕獲網１と共に落下する。
【００５０】
そして、中央重り体１２がガイドレール２１４に沿って落下すると共に、側方重り体１４を係止する係止ピン１５が中央重り体１２側に引っ張られて吊下部１４３から抜けることにより、側方重り体１４も落下する。その結果、保持部材２に沿って保持されていた捕獲網１が図２(ｂ)に示すように落下し、開口部１００が閉じられる。
【００５１】
なお、図１に示すように、中央保持部材２１の上部側には、軸心方向に沿ってガイド管２７が設けてある。係止ピン２６の紐状体２５はこのガイド管２７に通してある。また、紐状体２５が揺動体２３側に引っ張られてガイド管２７から抜けないように、係止ピン２６の基部側はガイド管２７の内径よりも大きくなっている。
【００５２】
（作  用）
動物捕獲装置Ａは次のように作用する。
［動物捕獲装置Ａの不使用時］
不使用時には嵩張らないように、保持部材２から捕獲網１を外した状態で保管しておく。図２(ｂ)に示す状態から、中央重り体１２のガイドローラ１２３をガイドレール２１４の下部から引き抜けば、保持部材２から捕獲網１を取り外せる。
【００５３】
捕獲網１は、折り畳んで保管すれば良い。この際、ズレ防止体１３，１３ａの接地板１３３は折り畳んでおくことが好ましい。なお、捕獲網１を折り畳む際に、引掛部１１，１３２が網に引っ掛からないように、引掛部１１，１３２に袋状のカバー（図示省略）を取り付けることが好ましい。一方、保持部材２は、図４に示すように、各支柱部２１２，２２２，２２２を外して、残りの中央保持部材２１と側方保持部材２２とを重ね合わせておく。以上のようにしておけば、動物捕獲装置Ａをコンパクトな状態で持ち運びや保管ができる。
【００５４】
［動物捕獲装置Ａの設置］
(1) 図４に示す各支柱部２１２，２２２，２２２を嵌め入れて、中央保持部材２１と側方保持部材２２を構成する。中央保持部材２１に対して側方保持部材２２を回動させて、図１に示すように、中央保持部材２１と側方保持部材２２を交差させ、接地面に立設させる。
【００５５】
(2) 捕獲網１を保持部材２の下方内部に置く。捕獲網１のズレ防止体１３，１３ａを各支柱部２１２，２２２，２２２の内側近傍に配置させ、開口部１００が中央保持部材２１の支柱部２１２側に向くようにする。
【００５６】
(3) 先端に餌受部１８を有するチェーン１８１が取付られたガイドローラ１８２を、中央保持部材２１の先部側のガイドローラ受部２３１にスライドさせて取り付ける。これにより、捕獲網１の奥部が持ち上がり、空間部が形成される。餌受部１８に餌Ｂを付ける。餌Ｂは、動物捕獲装置Ａの設置がすべて完了した後に取り付けても良い。 
【００５７】
(4) 中央重り体１２のガイドローラ１２３を上方からスライドさせてガイドレール２１４に嵌め入れる。中央重り体１２の吊下部１２５を中央保持部材２１の貫通穴２１０に下方から通し、一方の手で中央重り体１２を支えておく。他方の手で吊下部１２５の係合部１２６に係止ピン２６を通し、中央重り体１２を係止ピン２６で保持して上方に吊り下げる。この際、後の作業によって、係止ピン２６が勝手に外れないように、係止ピン２６と係合部１２６をクリップ等の挟み金具で止めておくこともできる。これについては、下記の側方重り体１４，１４についても同じである。
【００５８】
(5) 各側方重り体１４も同様に、吊下部１４３を側方保持部材２２の貫通穴２２０に下方から通した後、吊下部１４３の係合部１４２に係止ピン１５を通し、側方重り体１４を係止ピン１５で保持する。これにより、側方重り体１４を上方に吊り下げる。このように、中央重り体１２と側方重り体１４を上方に吊り下げることで、捕獲網１は開口部１００が大きく開いた状態で保持される。また、引掛部１１にカバーを取り付けていた場合は、そのカバーを外す。 
【００５９】
［動物捕獲装置Ａによる捕獲］
図２(ａ)を参照する。
餌Ｂの臭いにつられた動物は、開口部１００から捕獲網１の奥部へ入っていく。そして、動物が餌Ｂを引っ張ると、チェーン１８１と共に揺動体２３が引張コイルバネ２４に抗して前へ下方傾斜する。これにより、中央保持部材２１の紐状体２５が矢印方向に引っ張られて、係止ピン２６が吊下部１２５から抜け、中央重り体１２が落下する。
【００６０】
中央重り体１２が落下し始めると、側方重り体１４，１４を係止する係止ピン１５も中央重り体１２側へ引っ張られて抜け、側方重り体１４，１４も同様に落下する。その結果、保持部材２によって保持されていた捕獲網１が図２(ｂ)に示すように落下し、開口部１００が閉じられる。
【００６１】
捕獲網１の上部内側に設けてある引掛部１１は、捕獲網１の下部側や上部側に引っ掛かる。また、接地面側のズレ防止体１３，１３ａに設けてある引掛部１３２についても同様である。これにより、捕獲網１を絡み合わせて、動物を捕獲網１の内部に閉じ込めることができる。更に、動物が暴れた場合でも、余計に引掛部１１が捕獲網１に複雑に絡み合うため、逆に動物が動きが取れなくなる。
【００６２】
このように、柔軟性または変形性を有する捕獲網１によって動物を捕獲できるので、動物が暴れた場合であっても、溶接金網のような頑丈な檻で取り囲んだ場合と相違して、動物を傷つけないで捕獲することができる。
【００６３】
また、開口部１００側を落下式の扉等で閉鎖するような重厚な構造ではなく、単に捕獲網１の開口部１００側を引掛部１１，１３２で開かないように閉じる構造であるので、誤操作等により開口部１００が閉じても手を挟んでけがするような危険性はなく、人に対しても安全性が高い。
【００６４】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００６５】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００６６】
【図１】本発明に係る動物捕獲装置の一実施例を示す斜視説明図。
【図２】図１に示す動物捕獲装置の作動状態を説明するための側面視説明図。
【図３】図２(ａ)に示す中央重り体を拡大して示した側面視説明図。
【図４】保持部材を示す分解斜視説明図。
【符号の説明】
【００６７】
Ａ 動物捕獲装置
Ｂ 餌
１ 捕獲網
２ 保持部材
１１ 引掛部
１２ 中央重り体
１３，１３ａ ズレ防止体
１４ ガイドレール
１５ 係止ピン
１６ 紐状体
１７ ガイド管
１８ 餌受部
１９ 網保持体
２１ 中央保持部材
２２ 側方保持部材
２３ 揺動体
２４ ガイドレール
２４ 引張コイルバネ
２５ 紐状体
２６ 係止ピン
２７ ガイド管
１００ 開口部
１０１ 紐状体
１１１ 引掛部
１２１ 取付部
１２２ チェーン
１２３ ガイドローラ
１２４ 紐状体
１２５ 吊下部
１２６ 係合部
１３１ 取付部
１３２ 引掛部
１３３ 接地板
１３４ 軸ピン
１４１ 取付部
１４２ 係合部
１４３ 吊下部
１８１ チェーン
１８２ ガイドローラ
２１０ 貫通穴
２１１ エルボ
２１１，２２２，２２２ 支柱部
２１３ 軸部
２１４ ガイドレール
２２０ 貫通穴
２２１ エルボ
２１２ 支柱部
２２３ 固着具
２３１ ガイドローラ受部
２４１ 固着具
【図１】
2005278584.tif 000003
【図２】
2005278584.tif 000004
【図３】
2005278584.tif 000005
【図４】
2005278584.tif 000006